(57)【要約】【課題】構造を簡素化し、光軸の位置調整を容易にすることができる位置調整装置、光ピックアップ装置および位置調整方法を提供する。【解決手段】ハウジング２１に対して、一定の位置関係を保って設けられるチャック部６３が、光源ユニット２２を着脱可能に保持する。このチャック部６３を前進位置６５から退避位置６６に変位させて、ハウジング２１に対して仮位置４７にある光源ユニット２２を、ハウジング２１から基準軸線Ｌ２１に沿って離反する方向に変位させ、ハウジング２１から退避させる。この位置にある光源ユニット２２を、チャック部６３で保持した状態で、ハウジング２１に対して、基準軸線Ｌ２１に交差する方向にスライド変位させるとともに、基準軸線Ｌ２１および基準軸線Ｌ２１に交差する軸線まわりに角変位させ、その後、ハウジング２１に固定する。【選択図】      図１
2004355754.tif 000002
【特許請求の範囲】
【請求項１】
ハウジングと、ハウジングに固定される光源ユニットとを有し、光源ユニットからの光を記録媒体に照射することによって、情報の記録または再生をする光ピックアップ装置の光源ユニットの位置を調整するための位置調整装置であって、
ハウジングに対して、一定の位置関係を保って設けられ、光源ユニットを着脱可能に保持するチャック部を有し、
チャック部は、ハウジングに対して予め定める仮位置に配置した光源ユニットを保持可能な前進位置と、前進位置に対して、ハウジングから予め定める基準軸線に沿って離反する方向に退避した退避位置とにわたって変位可能であり、退避位置にある状態で、光源ユニットをハウジングに対して基準軸線に交差する方向にスライド変位可能に、かつ基準軸線および基準軸線に交差する軸線まわりに角変位可能に設けられる治具を備えることを特徴とする位置調整装置。
【請求項２】
前記退避位置は、ハウジングに対して予め設定される記録再生位置にあり、記録媒体と光源ユニットとの距離が、情報の記録または再生をするときの距離であることを特徴とする請求項１記載の位置調整装置。
【請求項３】
退避位置にあるチャック部に保持された光源ユニットを、ハウジングに対して固定具を用いて固定する固定手段をさらに含むことを特徴とする請求項１または２記載の位置調整装置。
【請求項４】
ハウジングに対して仮位置に配置される光源ユニットを、ハウジングに向けて弾発的に押圧する押圧手段をさらに含み、
チャック部は、押圧手段によってハウジングに弾発的に押圧された光源ユニットを把持することを特徴とする請求項１〜３のいずれかに記載の位置調整装置。
【請求項５】
ハウジングと、ハウジングに固定される光源ユニットとを有し、光源ユニットからの光を記録媒体に照射することによって、記録または再生をするとともに、前記仮位置に配置された後、ハウジングに対して一定の位置関係を保って光源ユニットを保持するチャック部を有する治具を用いて、ハウジングから退避した位置に配置し、この位置で、予め定める基準軸線に交差する方向にスライド変位されるとともに、基準軸線および基準軸線に交差する軸線まわりに角変位された後、ハウジングに固定される光源ユニットを有する光ピックアップ装置であって、
光源ユニットには、チャック部との相対的な位置決めをするための調整用位置決め手段が設けられることを特徴とする光ピックアップ装置。
【請求項６】
前記調整用位置決め手段は、ハウジングを基準軸線に投影した領域内に配置されることを特徴とする請求項５記載の光ピックアップ装置。
【請求項７】
光源ユニットには、光源ユニットとハウジングとの相対的な位置決めをするための仮位置調整手段が設けられることを特徴とする請求項５または６記載の光ピックアップ装置。
【請求項８】
前記仮位置調整手段は、前記基準軸線に沿う方向に延びて配置されることを特徴とする請求項７記載の光ピックアップ装置。
【請求項９】
仮位置調整手段は、前記基準軸線に垂直な方向に延びて配置されることを特徴とする請求項７記載の光ピックアップ装置。
【請求項１０】
仮位置調整手段は、基準軸線に交差する軸線まわりに角変位可能に、光源ユニットをハウジングに対して位置決めすることを特徴とする請求項７〜９のいずれかに記載の光ピックアップ装置。
【請求項１１】
光源ユニットは、光源と光源を保持するホルダとを有し、
光源とホルダとの間には、伝熱性の高い材料から成る伝熱材が設けられることを特徴とする請求項５〜１０のいずれかに記載の光ピックアップ装置。
【請求項１２】
光源およびホルダの少なくともいずれか一方には、それらの相互に対向する表面部に伝熱材が嵌り込む凹所が形成されることを特徴とする請求項１１記載の光ピックアップ装置。
【請求項１３】
伝熱材は、常温において粘度が２００Ｐａ・ｓ以上４００Ｐａ・ｓ以下の材料から成ることを特徴とする請求項１１または１２記載の光ピックアップ装置。
【請求項１４】
光源の接地端子に半田付けされ、ハウジングに蝋付けされる金属製の放熱部材をさらに含むことを特徴とする請求項１１〜１３のいずれかに記載の光ピックアップ装置。
【請求項１５】
前記放熱部材は、光源の接地端子に半田付けされた状態で、光源ユニットが基準軸線に対する位置を調整されてハウジングに固定された後に、蝋付けされてハウジングに固定されることを特徴とする請求項１４記載の光ピックアップ装置。
【請求項１６】
前記放熱部材は、熱伝導性を有し、かつ可撓性を有することを特徴とする請求項１４または１５記載の光ピックアップ装置。
【請求項１７】
ハウジングと、ハウジングに固定される光源ユニットとを有し、光源ユニットからの光を記録媒体に照射することによって、記録または再生をする光ピックアップ装置の光源ユニットの位置を調整するための位置調整方法であって、
ハウジングに対して、一定の位置関係を保って設けられ、光源ユニットを着脱可能に保持するチャック部であって、ハウジングに対して予め定める仮位置に配置した光源ユニットを保持可能な前進位置と、前進位置に対してハウジングから予め定める基準軸線に沿って離反する方向に退避した退避位置とにわたって変位可能に設けられるチャック部を有する治具を用いて、仮位置にある光源ユニットを、チャック部を退避位置に配置することによって、ハウジングから離反する方向に変位させて退避させ、
退避位置にある状態で、光源ユニットをハウジングに対して基準軸線に交差する方向にスライド変位させるとともに、基準軸線および基準軸線に交差する軸線まわりに角変位させることを特徴とする位置調整方法。
【請求項１８】
前記退避位置は、ハウジングに対して予め設定される記録再生位置にあり、記録媒体と光源ユニットとの距離が、情報の記録または再生をするときの距離であることを特徴とする請求項１７記載の位置調整方法。
【請求項１９】
退避位置にあるチャック部に保持された光源ユニットを、ハウジングに対して固定具を用いて固定することを特徴とする請求項１７または１８記載の位置調整方法。
【請求項２０】
ハウジングに向けて光源ユニットを弾発的に押圧する押圧手段を用いて、光源ユニットをハウジングに向けて弾発的に押圧して仮位置に配置し、チャック部を用いて仮位置に配置される光源ユニットを把持することを特徴とする請求項１７〜１９のいずれかに記載の位置調整方法。
【発明の詳細な説明】
【０００１】
【発明の属する技術分野】
本発明は、光源ユニットを備え、記録媒体に対して光源ユニットからの光を照射することによって、情報の記録または再生をする光ピックアップ装置と、その光源ユニットの位置を調整するための位置調整装置および位置調整方法とに関する。
【０００２】
【従来の技術】
図３２は、従来の技術における光ピックアップ装置１を示す断面図である。従来の技術では、半導体レーザ２からのレーザ光は、半導体レーザ２に対向するコリメートレンズ３を介して、対物レンズ４に導かれる。半導体レーザ２は、レーザホルダ５に保持され、このレーザホルダ５とハウジング７との間には、球面座６が介在される。
【０００３】
レーザホルダ５および球面座６は、球面状に形成される表面５ａ，６ａで互いに当接される。また球面座６は、レーザホルダ５と反対側でハウジング７に当接される。球面座６およびハウジング７は、平面状に形成される表面６ｂ，７ａで互いに当接される。球面座６およびハウジング７の前記表面６ｂ，７ａは、コリメートレンズ３の軸線に垂直である。
【０００４】
球面座６をハウジング７に対して摺動させることによって、コリメートレンズ３の軸線Ｌ３が、半導体レーザ２の発光部２ａを通るように、半導体レーザ２のハウジング７に対する位置が変位される。またレーザホルダ５を球面座６に対して摺動させることによって、レーザ光の光軸のコリメートレンズ３の軸線Ｌ３に対する傾きを調整するあおり調整が行われる（たとえば特許文献１参照）。
【０００５】
図３３は、他の従来の技術における光ピックアップ装置１０を示す断面図である。他の従来の技術では、半導体レーザ１１からのレーザ光は、半導体レーザ１１に対向するカップリングレンズ１２を介して、対物レンズ１３に導かれる。光ピックアップ装置１０は、半導体レーザ１１が設けられるレーザホルダ１４と、ハウジング本体１５および本体側部分１６を含むハウジング１７とを有する。レーザホルダ１４およびハウジング本体１５は、一仮想円筒面に沿って形成される表面１４ａ，１５ａで、互いに当接される。
【０００６】
ハウジング本体１５は、レーザホルダ１４が当接される状態で、前記一仮想円筒面の軸線がカップリングレンズ１２の軸線と直交するように、本体側部分１６に対して予め位置合わせされている。またレーザホルダ１４には、偏心ピンなどの回転用治具に係合する係合部（図示せず）が設けられ、この係合部が回転用治具に係合される。回転用治具を操作することによって、レーザホルダ１４が、ハウジング本体１５に対して摺動される。これによってレーザ光の光軸が、前記一仮想円筒面の軸線まわりに角変位されて、あおり調整が行われる（たとえば特許文献２参照）。
【０００７】
【特許文献１】
特開２００２−３４２９４５号公報
【特許文献２】
特開２０００−３６１１７号公報
【０００８】
【発明が解決しようとする課題】
前述の従来の技術では、レーザ光の光軸の位置を調整するために、レーザホルダ５および球面座６の２つの部材を、ハウジング７に対して変位させている。さらに前述の他の従来の技術では、レーザ光の光軸の位置を調整するために、回転用治具とレーザホルダ１４の係合部とを係合させ、回転用治具を操作することによって、レーザホルダ１４をハウジング１７に対して摺動させて調整する調整機構を用いている。したがって各従来の技術では、調整作業および装置の構成が複雑であり、また調整設備も複雑になる。特に、あおり調整では、球面状の表面５ａ，６ａ同士、および一仮想円筒面に沿う表面１４ａ，１５ａ同士を摺接させる。このような構成では、滑らかなあおり調整を実現するために、各表面の曲率によっては、互いに摺動させる各部材の少なくとも一方を、摺動性の良い材料から形成し、または良い摺動性が得られるように表面加工を施すなどして、構成を変更する必要があり、手間がかかる。
【０００９】
またあおり調整をする場合、レーザ光の光軸を、光源２，１１に対向するレンズの軸線に一致させるために、前記対向するレンズの軸線が発光部２ａ，１１ａを通る位置に、半導体レーザ２，１１が配置されていることが望まれるが、発光部２ａ，１１ａは、実際には、たとえば部品精度などによって、設計上の理想位置にあるとは限らない。特に、他の従来の技術では、発光部１１ａの位置がずれていると、光軸とカップリングレンズ１２の軸線とを一致させることができない。
【００１０】
さらに光軸の位置を調整するにあたって、従来の技術では、基準となるハウジング７に対してレーザホルダ５および球面座６の２つの部材が必要であり、他の従来の技術では、基準となる本体側部分１６に対してレーザホルダ１４およびハウジング本体１５の２つの部材が必要である。したがって調整作業が複雑になることに加えて、部品点数が多くなり、コストアップの原因になる。
【００１１】
本発明の目的は、構造を簡素化し、光軸の位置調整を容易にすることができる位置調整装置、光ピックアップ装置および位置調整方法を提供することである。
【００１２】
【課題を解決するための手段】
本発明は、ハウジングと、ハウジングに固定される光源ユニットとを有し、光源ユニットからの光を記録媒体に照射することによって、情報の記録または再生をする光ピックアップ装置の光源ユニットの位置を調整するための位置調整装置であって、
ハウジングに対して、一定の位置関係を保って設けられ、光源ユニットを着脱可能に保持するチャック部を有し、
チャック部は、ハウジングに対して予め定める仮位置に配置した光源ユニットを保持可能な前進位置と、前進位置に対して、ハウジングから予め定める基準軸線に沿って離反する方向に退避した退避位置とにわたって変位可能であり、退避位置にある状態で、光源ユニットをハウジングに対して基準軸線に交差する方向にスライド変位可能に、かつ基準軸線および基準軸線に交差する軸線まわりに角変位可能に設けられる治具を備えることを特徴とする位置調整装置である。
【００１３】
本発明に従えば、治具は、チャック部を有し、このチャック部は、ハウジングに対して、一定の位置関係を保って設けられる。チャック部は、光源ユニットを着脱可能に保持する。チャック部は、ハウジングに対して予め定める仮位置に配置した光源ユニットを保持可能な前進位置と、前進位置に対して、ハウジングから予め定める基準軸線に沿って離反する方向に退避した退避位置とにわたって変位可能に設けられる。さらにチャック部は、退避位置にある状態で、光源ユニットを、ハウジングに対して基準軸線に交差する方向にスライド変位可能に、かつ基準軸線および基準軸線に交差する軸線まわりに角変位可能に設けられる。
【００１４】
このように光源ユニットを保持したチャック部とハウジングとの間の位置関係を調整することによって、チャック部と治具との間の位置関係またはチャック部と光源ユニットとの間の位置関係を調整することなく、光源ユニットとハウジングとの間の位置関係を調整することができる。これによって光源ユニットからの光の光軸の位置の調整作業を容易にすることができる。
【００１５】
さらに光源ユニットをハウジングに接触させた状態で、光軸の位置を調整する必要がないので、たとえば光源ユニットおよびハウジングの相互に対向する表面を高い加工精度を要する曲面に形成する必要がなく、光源ユニットおよびハウジングの構成を簡素化することができる。また光軸を所望の位置に調整されるので、光ピックアップ装置による情報の記録または再生を好適に行うことができる。
【００１６】
また本発明は、前記退避位置は、ハウジングに対して予め設定される記録再生位置にあり、記録媒体と光源ユニットとの距離が、情報の記録または再生をするときの距離であることを特徴とする。
【００１７】
本発明に従えば、前記退避位置は、ハウジングに対して予め設定される記録再生位置にあり、記録媒体と光源ユニットとの距離が、情報の記録または再生をするときの距離になるように設定される。チャック部の退避位置への変位に伴って光源ユニットを変位させることによって、光軸の位置調整に加えて、光源ユニットからの光が記録媒体で絞られるように、光のスポット形状を調整することができる。これによって光源ユニットの位置の調整作業をさらに容易にすることができる。
【００１８】
また本発明は、退避位置にあるチャック部に保持された光源ユニットを、ハウジングに対して固定具を用いて固定する固定手段をさらに含むことを特徴とする。
【００１９】
本発明に従えば、退避位置にあるチャック部に保持された光源ユニットは、固定手段による固定具を用いて、ハウジングに対して固定される。これによって光源ユニットを、光軸の位置が調整された状態で、ハウジングに固定することができ、利便性の高い光ピックアップ装置を実現することができる。
【００２０】
また本発明は、ハウジングに対して仮位置に配置される光源ユニットを、ハウジングに向けて弾発的に押圧する押圧手段をさらに含み、
チャック部は、押圧手段によってハウジングに弾発的に押圧された光源ユニットを把持することを特徴とする。
【００２１】
本発明に従えば、ハウジングに対して仮位置に配置される光源ユニットは、押圧手段によって、ハウジングに向けて弾発的に押圧される。チャック部は、押圧手段によってハウジングに弾発的に押圧された光源ユニットを把持する。これによって光源ユニットが不所望に押圧することが防がれ、光源ユニットの破損および変形を防止することができる。さらに押圧手段によって、仮位置にある光源ユニットの位置ずれを防止した状態で、チャック部によって把持することができる。
【００２２】
また本発明は、ハウジングと、ハウジングに固定される光源ユニットとを有し、光源ユニットからの光を記録媒体に照射することによって、記録または再生をするとともに、前記仮位置に配置された後、ハウジングに対して一定の位置関係を保って光源ユニットを保持するチャック部を有する治具を用いて、ハウジングから退避した位置に配置し、この位置で、予め定める基準軸線に交差する方向にスライド変位されるとともに、基準軸線および基準軸線に交差する軸線まわりに角変位された後、ハウジングに固定される光源ユニットを有する光ピックアップ装置であって、
光源ユニットには、チャック部との相対的な位置決めをするための調整用位置決め手段が設けられることを特徴とする光ピックアップ装置である。
【００２３】
本発明に従えば、光ピックアップ装置は、ハウジングとハウジングに保持される光源ユニットとを有する。この光ピックアップ装置は、光源ｋらの光を記録媒体に照射することによって、情報の記録または再生をすることができる。光源ユニットは、前記仮位置に配置された後、ハウジングに対して一定の位置関係を保って光源ユニットを保持するチャック部を有する治具を用いて、ハウジングから前記基準軸線に沿って離反する方向に退避した位置に配置される。
【００２４】
さらに光源ユニットは、基準軸線に交差する方向にスライド変位されるとともに、基準軸線および基準軸線に交差する軸線まわりに角変位された後、ハウジングに固定される。この光源ユニットには、チャック部との相対的な位置決めをするための調整用位置決め手段が設けられ、この調整用位置決め手段によって位置決めされた状態でチャック部に把持される。このように光源ユニットを把持したチャック部とハウジングとの間の位置関係を調整することによって、チャック部と治具との間の位置関係またはチャック部と光源ユニットとの間の位置関係を調整することなく、光源ユニットとハウジングとの間の位置関係を調整することができる。これによって光源ユニットからの光の光軸の位置の調整作業を容易にすることができる。
【００２５】
また光源ユニットの光軸の傾きを調整するために、光源ユニットおよびハウジングの相互に対向する表面を高い加工精度を要する曲面に形成して、摺接させる必要が無いので、光ピックアップ装置の構成を簡単にすることができる。これによって加工精度および部品点数などの観点から、コストダウンを図ることができる。したがって利便性の高い光ピックアップ装置を実現することができる。
【００２６】
また本発明は、前記調整用位置決め手段は、ハウジングを基準軸線に投影した領域内に配置されることを特徴とする。
【００２７】
本発明に従えば、前記調整用位置決め手段は、ハウジングを基準軸線に投影した領域内に配置される。これによって調整用位置決め手段が、光軸の位置調整後に、ハウジングよりも突出した位置に配置されることが防がれる。したがって装置全体の厚みが増加することを防止するなどして、利便性の高い光ピックアップ装置を実現することができる。
【００２８】
また本発明は、光源ユニットには、光源ユニットとハウジングとの相対的な位置決めをするための仮位置調整手段が設けられることを特徴とする。
【００２９】
本発明に従えば、光源ユニットには、光源ユニットとハウジングとの相対的な位置決めをするための仮位置調整手段が設けられる。このように仮位置調整手段によって、光源ユニットとハウジングとの位置が相対的に決まった状態で、光源のハウジングに対する位置を調整するので、調整時の作業性を向上することができる。
【００３０】
また本発明は、前記仮位置調整手段は、前記基準軸線に沿う方向に延びて配置されることを特徴とする。
【００３１】
本発明に従えば、仮位置調整手段は、前記基準軸線に沿う方向に延びて配置される。この仮位置調整手段によって、光源ユニットを、基準軸線に沿う方向に変位させて、仮位置およびハウジングから退避した位置に配置することができる。
【００３２】
また本発明は、仮位置調整手段は、前記基準軸線に垂直な方向に延びて配置されることを特徴とする。
【００３３】
本発明に従えば、仮位置調整手段は、前記基準軸線に垂直な方向に延びて配置される。この仮位置調整手段によっても、光源ユニットを、基準軸線に沿う方向に変位させて、仮位置およびハウジングから退避した位置に配置することができる。
【００３４】
また本発明は、仮位置調整手段は、基準軸線に交差する軸線まわりに角変位可能に、光源ユニットをハウジングに対して位置決めすることを特徴とする。
【００３５】
本発明に従えば、仮位置調整手段は、基準軸線に交差する軸線まわりに角変位可能に、光源ユニットをハウジングに対して位置決めする。これによって光源ユニットを、ハウジングに対して位置決めした状態で、基準軸線に沿う方向への変位に加えて、基準軸線に交差する軸線まわりに角変位させて、ハウジングに対する位置を調整することができる。
【００３６】
また本発明は、光源ユニットは、光源と光源を保持するホルダとを有し、
光源とホルダとの間には、伝熱性の高い材料から成る伝熱材が設けられることを特徴とする。
【００３７】
本発明に従えば、光源ユニットは、光源と、光源を保持するホルダとを有する。光源とホルダとの間には、伝熱性の高い材料から成る伝熱材が設けられる。これによって光源をハウジングから退避した状態で固定した場合であっても、光源ユニットで発生される熱を、伝熱材を介してホルダに伝えることができる。また光源ユニットがたとえば固定手段によってハウジングに固定される場合には、前述のようにホルダに伝えられた熱を、固定手段を介してハウジングに伝えることができる。これによって発生される熱を光源ユニットから効率良く放出することができる、換言すると高い放熱性を達成することができる。
【００３８】
また本発明は、光源およびホルダの少なくともいずれか一方には、それらの相互に対向する表面部に伝熱材が嵌り込む凹所が形成されることを特徴とする。
【００３９】
本発明に従えば、光源およびホルダの少なくともいずれか一方には、それらの相互に対向する表面部に伝熱材が嵌り込む凹所が形成される。この凹所に伝熱性の高い材料を充填することによって、光源とホルダとが相互に対向する表面部間に確実に充填することができ、前記表面部間に生じる空気層を無くすことができる。これによって放熱性を向上することができる。
【００４０】
また本発明は、伝熱材は、常温において粘度が２００Ｐａ・ｓ以上４００Ｐａ・ｓ以下の材料から成ることを特徴とする。
【００４１】
本発明に従えば、伝熱材は、常温において粘度が２００Ｐａ・ｓ以上４００Ｐａ・ｓ以下の材料から成る。このように光源とホルダとの間に充填しやすく、かつ光源およびホルダとの密着性の良好な低粘度の材料を用いるので、伝熱材による放熱性を向上することができる。
【００４２】
また本発明は、光源の接地端子に半田付けされ、ハウジングに蝋付けされる金属製の放熱部材をさらに含むことを特徴とする。
【００４３】
本発明に従えば、光源の接地端子には、金属製の放熱部材が半田付けされる。この放熱部材は、さらにハウジングに蝋付けされる。これによって光源で発生した熱を、放熱部材を介してハウジングに伝えることができ、放熱性を向上することができる。
【００４４】
また本発明は、前記放熱部材は、光源の接地端子に半田付けされた状態で、光源ユニットが基準軸線に対する位置を調整されてハウジングに固定された後に、蝋付けされてハウジングに固定されることを特徴とする。
【００４５】
本発明に従えば、放熱部材は、光源の接地端子に半田付けされた状態で、光源ユニットが基準軸線に対する位置を調整されてハウジングに固定された後に、蝋付けされてハウジングに固定される。このように光源ユニットがハウジングに固定された後に、放熱部材をハウジングに蝋付けするので、光源ユニットに不所望な外力を与えないように、放熱部材をハウジングに蝋付けすることができる。これによって光源のハウジングに対する位置がずれることを防止することができる。
【００４６】
また本発明は、前記放熱部材は、熱伝導性を有し、かつ可撓性を有することを特徴とする。
【００４７】
本発明に従えば、放熱部材は、熱伝導性を有し、かつ可撓性を有するので、放熱性を向上することができるとともに、光源ユニットに不所望な外力が与えられることがないように、放熱部材を適度に変形させてハウジングに固定することができる。
【００４８】
また本発明は、ハウジングと、ハウジングに固定される光源ユニットとを有し、光源ユニットからの光を記録媒体に照射することによって、記録または再生をする光ピックアップ装置の光源ユニットの位置を調整するための位置調整方法であって、
ハウジングに対して、一定の位置関係を保って設けられ、光源ユニットを着脱可能に保持するチャック部であって、ハウジングに対して予め定める仮位置に配置した光源ユニットを保持可能な前進位置と、前進位置に対してハウジングから予め定める基準軸線に沿って離反する方向に退避した退避位置とにわたって変位可能に設けられるチャック部を有する治具を用いて、仮位置にある光源ユニットを、チャック部を退避位置に配置することによって、ハウジングから離反する方向に変位させて退避させ、
退避位置にある状態で、光源ユニットをハウジングに対して基準軸線に交差する方向にスライド変位させるとともに、基準軸線および基準軸線に交差する軸線まわりに角変位させることを特徴とする位置調整方法である。
【００４９】
本発明に従えば、治具のチャック部は、ハウジングに対して、一定の位置関係を保って設けられ、光源ユニットを着脱可能に保持し、ハウジングに対して予め定める仮位置に配置した光源ユニットを保持可能な前進位置と、前進位置に対して、光源ユニットがハウジングから予め定める基準軸線に沿って離反する方向に退避した退避位置とにわたって変位可能に設けられる。この治具を用いて、仮位置にある光源ユニットは、チャック部を退避位置に配置することによって、ハウジングから離反する方向に変位されて、ハウジングから退避した位置に配置される。
【００５０】
チャック部が退避位置にある状態で、光源ユニットは、ハウジングに対して基準軸線に交差する方向にスライド変位されるとともに、基準軸線および基準軸線に交差する軸線まわりに角変位される。このように光源ユニットを保持したチャック部とハウジングとの間の位置関係を調整することによって、チャック部と治具との間の位置関係またはチャック部と光源ユニットとの間の位置関係を調整することなく、光源ユニットとハウジングとの間の位置関係を調整することができる。これによって光源ユニットからの光の光軸の位置の調整作業を容易にすることができる。
【００５１】
また本発明は、前記退避位置は、ハウジングに対して予め設定される記録再生位置にあり、記録媒体と光源ユニットとの距離が、情報の記録または再生をするときの距離であることを特徴とする。
【００５２】
本発明に従えば、前記退避位置は、ハウジングに対して予め設定される記録再生位置にあり、記録媒体と光源ユニットとの距離が、情報の記録または再生をするときの距離になるように設定される。これによって光軸の位置調整に加えて、光源からの光が記録媒体で絞られるように、記録媒体に照射される光のスポット形状を調整することができる。
【００５３】
また本発明は、退避位置にあるチャック部に保持された光源ユニットを、ハウジングに対して固定具を用いて固定することを特徴とする。
【００５４】
本発明に従えば、退避位置にあるチャック部に保持された光源ユニットは、固定手段の固定具を用いて、ハウジングに対して固定される。これによって光源を、光軸の位置が調整された状態で、ハウジングに固定することができ、利便性の高い光ピックアップ装置を実現することができる。
【００５５】
また本発明は、ハウジングに向けて光源ユニットを弾発的に押圧する押圧手段を用いて、光源ユニットをハウジングに向けて弾発的に押圧して仮位置に配置し、チャック部を用いて仮位置に配置される光源ユニットを把持することを特徴とする。
【００５６】
本発明に従えば、光源ユニットは、ハウジングに向けて光源ユニットを弾発的に押圧する押圧手段を用いて、ハウジングに向けて弾発的に押圧され、仮位置に配置される。仮位置に配置した光源ユニットは、チャック部を用いて把持される。このように光源ユニットを仮位置に配置するにあたって、押圧手段によって弾発的に押圧して変位させるので、光源ユニットが不所望に押圧することが防がれ、光源ユニットの破損および変形を防止することができる。さらに押圧手段によって、仮位置にある光源ユニットの位置ずれを防止した状態で、チャック部によって把持することができる。
【００５７】
【発明の実施の形態】
図１は、本発明の実施の一形態である光ピックアップ装置２０の一部を示す正面図である。図２は、ハウジング２１の一側部２１ａを示す平面図である。光ピックアップ装置２０は、コンパクトディスク（Ｃｏｍｐａｃｔ  Ｄｉｓｃ；略称ＣＤ）などの記録媒体（図示せず）に対して、光を照射することによって情報の記録または再生をする装置である。光ピックアップ装置２０は、ハウジング２１と光源ユニット２２とを有する。作業者は、本発明の光源ユニット２２の位置調整装置６０を用いて、本発明の光源ユニット２２の位置調整方法に基づく作業手順に従って、光源ユニット２２のハウジング２１の位置を調整する。
【００５８】
前記光源ユニット２２は、ハウジング２１の一側部２１ａに設けられる。ハウジング２１の一側部２１ａは、厚み方向に貫通するとともに、離反方向Ｚ１に開放する凹状に形成される。前記離反方向Ｚ１は、ハウジング２１の予め定める基準軸線Ｌ２１に平行な第１軸線方向Ｚのうち、光源ユニット２２がハウジング２１の一側部２１ａから離反する方向である。
【００５９】
前述の第１軸線方向Ｚに関連して、基準軸線Ｌ２１に交差する方向であり、かつハウジング２１の厚み方向に垂直な方向を、第２軸線方向Ｘとし、基準軸線Ｌ２１に交差する方向であり、かつ第２軸線方向Ｘに垂直な方向を、第３軸線方向Ｙとする。さらに基準軸線Ｌ２１に交差する軸線のうち、基準軸線Ｌ２１に直交し、かつ第２軸線方向Ｘに平行な軸線を、第２軸線Ｌ２６とし、基準軸線Ｌ２１および第２軸線Ｌ２６に直交する軸線を、第３軸線Ｌ２７とする。第３軸線Ｌ２７は、第３軸線方向Ｙに平行な軸線でもある。
【００６０】
ハウジング２１の一側部２１ａには、基準軸線Ｌ２１に垂直な一仮想平面に沿う１または複数、具体的には２つの基準面２８ａ，２８ｂが形成される。以下、２つの基準面２８ａ，２８ｂのうち少なくともいずれか一方を指すとき、「基準面２８」と表記する場合がある。
【００６１】
ハウジング２１の一側部２１ａの相互に対向する側部分２９ａ，２９ｂには、案内溝３０ａ，３０ｂが形成される。各案内溝３０ａ，３０ｂは、各側部分２９ａ，２９ｂの窪みであり、基準軸線Ｌ２１に沿って延びる。各案内溝３０ａ，３０ｂは、相互に対向する方向に開口する。以下、２つの案内溝３０ａ，３０ｂのうち少なくともいずれか一方を指すとき、「案内溝３０」と表記する場合がある。
【００６２】
案内溝３０は、基準面２８から近接方向Ｚ２に延びて配置される。近接方向Ｚ２は、第１軸線方向Ｚのうち、離反方向Ｚ１と反対側の方向である。光を出射する光源ユニット２２は、前述のハウジングの一側部２１ａの側部分２９ａ，２９ｂに挟まれる位置に配置され、この位置でハウジング２１に固定される。
【００６３】
光ピックアップ装置２０は、導光手段２３および駆動手段（図示せず）をさらに含んで構成される。導光手段２３および駆動手段は、ハウジング２１に保持される。導光手段２３は、光源ユニット２２からの光を記録媒体に導くための手段である。導光手段２３は、光源ユニット２２からの光を平行光にして出射するコリメートレンズ３１と、コリメートレンズ３１を介して導かれる光源ユニット２２からの光を集光する対物レンズ（図示せず）とを含んで構成される。
【００６４】
コリメートレンズ３１は、光源ユニット２２に対向する位置に配置される。コリメートレンズ３１は、その軸線がハウジング２１の基準軸線Ｌ２１に平行になるように配置される。コリメートレンズ３１には、光源ユニット２２からの光が導かれる。導光手段２３は、コリメートレンズ３１および対物レンズに加えて、各種の光学レンズ、たとえば立上げミラーおよび１／４波長板などをさらに含んでいてもよい。
【００６５】
光源ユニット２２からの光は、コリメートレンズ３１を介して対物レンズに導かれ、この対物レンズによって、記録媒体の情報を記録するための記録面に集光される。対物レンズは、駆動手段によって保持されており、記録媒体の所望の位置に光を集光するように、駆動手段によって記録媒体に対して変位駆動される。記録媒体からの反射光は、対物レンズおよびコリメートレンズ３１を介して受光部３７（図３参照）に導かれる。
【００６６】
図３は、光源ユニット２２を示す正面図である。図４は、図３の光源ユニット２２を示す底面図である。図５は、図３の光源ユニット２２を示す右側面図である。図６は、図３の光源ユニット２２を示す左側面図である。光源ユニット２２は、光源３３と、光源３３を保持するホルダ３４を有する。光源３３は、出射部３５、ホログラム３６および受光部３７を含んで構成される。
【００６７】
出射部３５は、たとえば半導体レーザによって実現され、レーザ光をコリメートレンズ３１に向けて出射する。ホログラム３６は、記録媒体からの反射光を複数の領域毎に回折させて分割し、受光部３７に導く。受光部３７は、たとえばフォトダイオードによって実現され、ホログラム３６からのレーザ光を受光する。受光部３７による受光結果に基づいて、光ピックアップ装置２０は、記録媒体に対して、情報の記録または再生を行うことができる。
【００６８】
また光源３３は、ハウジング２１と反対側に向けて突出する接地端子３８などの各種の端子を含む端子群３９を有する。端子群３９は、後述するステム４０に設けられる。光源３３は、ホログラムレーザユニットとも呼ばれ、前述の出射部３５、ホログラム３６および受光部３７が一体化されて構成される。出射部３５、ホログラム３６および受光部３７は、基台であるステム４０に搭載され、それらを外方から覆うようにしてキャップ４１が設けられる。
【００６９】
ホルダ３４は、キャップ４１を外方から覆うようにして設けられる。ホルダ３４は、たとえば光源３３のステム４０と接着または勘合によって固定される。光源３３からのレーザ光は、ホルダ３４を介して外部のコリメートレンズ３１に導かれる。
【００７０】
図７は、光源ユニット２２をハウジング２１に固定する前の光ピックアップ装置２０を示す正面図である。図８は、光源ユニット２２をハウジング２１に固定する前の光ピックアップ装置２０を示す断面図である。図９は、ハウジング２１の一側部２１ａに設けられる光源ユニット２２を示す平面図である。光源ユニット２２のハウジング２１に対する位置を調整するにあたって、光源ユニット２２をハウジング２１に保持させる。光源ユニット２２には、図３〜図６を参照して、１または複数（本実施の形態では２つ）の案内片４２ａ，４２ｂが形成される。各案内片４２ａ，４２ｂが、対応するハウジング２１の各案内溝３０ａ，３０ｂに係止される。本実施の形態では、各案内片４２ａ，４２ｂはホルダ３４に形成される。以下、各案内片４２ａ，４２ｂのうち少なくともいずれか一方を指すとき、「案内片４２」と表記する場合がある。
【００７１】
仮位置調整手段である各案内片４２ａ，４２ｂは、ホルダ３４から第２軸線方向Ｘに沿って突出し、第２軸線方向Ｘに関してホルダ３４を挟む位置に配置される。さらに案内片４２は、第１軸線方向Ｚに延びて配置される。案内片４２をハウジングの案内溝３０に挿通させて係止させることによって、後述する治具６１を用いてチャッキングする前に、光源ユニット２２をハウジング２１に保持させることができる。
【００７２】
図１０は、ハウジング２１に保持される光源ユニット２２を示す正面図である。光源ユニット２２には、図３〜図５を参照して、ハウジング２１の一側部２１ａに臨む１または複数（本実施の形態では２つ）の対向面４３ａ，４３ｂが形成される。本実施の形態では、２つの対向面４３ａ，４３ｂは、ホルダ３４に形成される。ホルダ３４の各対向面４３ａ，４３ｂは、案内片４２が延在する方向に垂直な平面に形成される。ホルダ３４の各対向面４３ａ，４３ｂは、光源ユニット２２の案内片４２がハウジング２１の案内溝３０に係止される状態で、ハウジング２１の基準面２８に対向する。以下、２つの対向面４３ａ，４３ｂのうち少なくともいずれか一方を指すとき、「対向面４３」と表記する場合がある。
【００７３】
光源ユニット２２は、治具６１によってチャッキングされて把持される前の状態では、フレキシブルプリント配線基板（略称ＦＰＣ）４４およびハウジング２１によって保持される。ＦＰＣ４４は、略Ｌ字状であり、一端部で光源ユニット２２の端子群３９の各端子と電気的および機械的に接続され、他端部でハウジング２１に保持される。
【００７４】
光源ユニット２２の案内片４２は、第２軸線方向Ｘに沿って突出し、第１軸線方向Ｚに延びて配置される。この形状では、光源ユニット２２をＦＰＣ４４に半田付けするにあたって、基準軸線Ｌ２１が鉛直方向に平行になるように、ハウジング２１を配置し、光源ユニット２２をハウジング２１にセットすれば、基準軸線Ｌ２１が水平方向に平行になるようにハウジング２１を配置したときに比べて、半田付け作業を容易にすることができる。
【００７５】
図１１は、仮位置４７に配置される光源ユニット２２を示す平面図である。図１２は、仮位置４７に配置される光源ユニット２２を示す断面図である。図１３は、仮位置４７にある光源ユニット２２を示す平面図である。図１４は、図１３のセクションＡを示す平面図である。案内片４２およびＦＰＣ４４によってハウジング２１に保持される光源ユニット２２は、位置調整装置６０を用いて、ハウジング２１に対して位置が調整され、ハウジング２１に固定される。位置調整装置６０は、光源ユニット２２に関してハウジング２１と反対側に配置される。
【００７６】
位置調整装置６０は、光源ユニット２２を着脱可能にかつ変位可能に保持する治具６１を備える。治具６１は、その基部６２が予め定める基台（図示せず）に連結されて保持される。さらに前記ハウジング２１は、前記基台に連結されて保持される。このように治具６１とハウジング２１とは、基台に連結されることによって、互いに一定の位置関係を保った状態で基台に保持される。これによって治具６１をハウジング２１に対して変位させることによって、光源ユニット２２のハウジング２１に対する位置を調整することができる。
【００７７】
治具６１は、ハウジング２１に対して一定の位置関係を保って設けられるチャック部６３を有する。チャック部６３は、前進位置６５と退避位置６６とにわたって変位可能に設けられる。前進位置６５は、ハウジング２１に対して予め定める仮位置４７に配置した光源ユニット２２を保持可能な位置である。また退避位置６６は、前進位置６５に対して、基準軸線Ｌ２１に沿ってハウジング２１から離反する方向である前記離反方向Ｚ１に退避した位置である。この退避位置６６では、光源ユニット２２は、面内調整およびあおり調整を含む位置調整によって、ハウジング２１に対する位置が調整される。
【００７８】
光源ユニット２２が、前述のように、ＦＰＣ４４およびハウジング２１に保持される状態では、光源ユニット２２からのレーザ光の光軸は、必ずしも基準軸線Ｌ２１に平行となるような所望の光軸に沿うように配置されていない。これは、あおり調整を行うために、光源ユニット２２は、ハウジング２１に対してある程度の自由度を持って保持される必要があり、板ばねなどの弾性体によって固定できない為である。
【００７９】
光源ユニット２２は、ＦＰＣ４４およびハウジング２１に保持される状態で、位置調整装置６０を用いて、仮位置４７に配置される。位置調整装置６０は、押圧手段６８をさらに含む。押圧手段６８は、光源ユニット２２を仮位置４７に配置するために、光源ユニット２２をハウジング２１に向けて弾発的に押圧する。押圧手段６８は、たとえばばね部材などの弾性体によって実現される。
【００８０】
光源ユニット２２がＦＰＣ４４およびハウジング２１に保持される状態で、治具６１のチャック部６３は、光源ユニット２２のホルダ３４から離間されている。この状態で、押圧手段６８が、ハウジング２１と反対側から光源ユニット２２、具体的には端子群３９に当接され、光源ユニット２２を近接方向Ｚ２に弾発的に押圧して変位させる。その後、ホルダ３４のハウジング２１に臨む対向面４３が、ハウジング２１の基準面２８に確実に隙間無く当接される。前記近接方向Ｚ２は、第１軸線方向Ｚのうち、光源ユニット２２がハウジング２１に近接する方向である。
【００８１】
前記押圧手段６８は、対向面４３と基準面２８とが相互に当接されるときに、光源３３およびホルダ３４に過大な負荷がかからないように弾発的に押圧する。
押圧手段６８による押圧力は、対向面４３が基準面２８から離れない程度に、かつ光源３３の端子群３９を変形させない程度に設定される。
【００８２】
治具６１のチャック部６３は、相互に対向する一対の保持手段であり、前進位置６５に配置される状態で、仮位置４７にある光源ユニット２２に関して第３軸線方向Ｙ両側に配置される。さらにチャック部６３は、前進位置６５に配置される状態で、図１２の矢符５０に示すように、仮位置４７にある光源ユニット２２を第３軸線方向Ｙ両側から挟持する。またチャック部６３には、光源ユニット２２が嵌り込む１または複数（本実施の形態では４つ）のチャック嵌合部６９ａ〜６９ｄが形成される。以下、４つのチャック嵌合部６９ａ〜６９ｄのうち少なくともいずれか１つを指すとき、「チャック嵌合部６９」と表記する場合がある。
【００８３】
光源ユニット２２には、チャック部６３に嵌り込む１または複数（本実施の形態では４つ）の光源嵌合部５２ａ〜５２ｄが形成される。調整用位置決め手段である各光源嵌合部５２ａ〜５２ｄは、チャック部６３の各チャック嵌合部６９ａ〜６９ｄに対応して設けられる。本実施の形態では、４つの光源嵌合部５２ａ〜５２ｄはホルダ３４に形成される。各光源嵌合部５２ａ〜５２ｄは、先細状に突出する略三角形状に形成される。
【００８４】
光源嵌合部５２ａ〜５２ｄとチャック嵌合部６９ａ〜６９ｄとは、第３軸線方向Ｙに関して、それらの間にＦＰＣ４４が介在されない位置に配置される。光源嵌合部５２ａ〜５２ｄとチャック嵌合部６９ａ〜６９ｄとは、ホルダ３４に関して第３軸線方向Ｙ両側に配置されるが、第３軸線方向Ｙ一方側および他方側のいずれかにだけ配置されるように構成してもよい。以下、４つの光源嵌合部５２ａ〜５２ｄのうち少なくともいずれか１つを指すとき、「光源嵌合部５２」と表記する場合がある。
【００８５】
前記チャック嵌合部６９は、略Ｖ字状に形成される。チャック嵌合部６９には、光源ユニット２２が仮位置４７にある状態で、対向する光源嵌合部５２が嵌り込む。このようにチャック嵌合部６９を略Ｖ字状に形成し、かつ光源嵌合部５２を略三角形状に形成するので、チャック部６３で光源ユニット２２をチャッキングするときに、光源嵌合部５２をチャック嵌合部６９に案内させやすくして、チャッキングずれを防止し、確実に把持することができる。またチャック部６３が変位されるときに、光源ユニット２２とチャック部６３とを一体に変位させることができる。これによってチャック部６３をハウジング２１に対して変位させて、光源ユニット２２をハウジング２１に対して所望の位置に確実に配置することができる。
【００８６】
また光源嵌合部５２は、ハウジング２１を基準軸線Ｌ２１に投影した領域内に配置される。換言すると、光源嵌合部５２は、ハウジング２１の第３軸線方向Ｙ両側の各表面部に挟まれる領域内に配置される。さらに光源嵌合部５２は、第３軸線方向Ｙに関して、光源３３のステム４０よりも段差Ｄ１だけ低くなるように形成され、光源３３のステム４０よりも突出しないように配置される。
【００８７】
光源嵌合部５２が前述のように構成されるので、あおり調整を行ったときに、光源嵌合部５２は、ピックアップ本体、換言するとハウジング２１から第３軸線方向Ｙに飛び出さない位置に配置される。したがって光源嵌合部５２が邪魔にならないように配置されたり、ピックアップ本体の厚みを所定値以下に抑えるなどして、利便性の高い光ピックアップ装置２０を実現することができる。
【００８８】
図１５は、チャック部６３が退避位置６６に配置されるときの位置調整装置６０を示す平面図である。図１６は、チャック部６３が退避位置６６に配置されるときの位置調整装置６０を示す断面図である。光源ユニット２２が押圧手段６８によって仮位置４７に配置され、対向面４３と基準面２８とが接触して当接されると、光源ユニット２２は、その対向面４３が基準軸線Ｌ２１に垂直になるように配置される。この状態のまま、光源ユニット２２は、チャック嵌合部６９によって、第３軸線方向Ｙ両側から確実に挟持される。
【００８９】
位置調整装置６０は、ホルダ３４を挟持した状態のチャック部６３を、離反方向Ｚ２へ機械的に変位させて前進位置６５から退避位置６６に配置し、対向面４３を基準面２８から離反させる。退避位置６６は、ハウジング２１に対して予め設定される記録再生位置４８にあり、記録媒体と光源ユニット２２との距離が、情報の記録または再生をするときの距離である。チャック部６３は、退避位置６６にある状態で、光源ユニット２２をハウジング２１から退避した位置に配置させる。これによって光源ユニット２２が、ハウジング２１から予め定める退避距離Ｄ２だけ離間した前記記録再生位置４８で保持される。
【００９０】
前記退避距離Ｄ２は、光軸のあおり調整をすることができる程度のクリアランスが確保される距離であり、かつ基準面２８から出射部３５の中心位置である発光点までの設計上の距離とする。さらに具体的には、退避距離Ｄ２は、あおり調整が可能な距離であり、かつ情報の記録または再生をするために、記録媒体に集光されるレーザ光のスポット形状が絞られた最適な位置となるまで、光源ユニット２２がハウジング２１から離反方向Ｚ１に離間した距離とする。このように基準面２８から退避距離Ｄ２だけ離れた記録再生位置４８が、光源ユニット２２をハウジング２１に対して変位させて、光軸の位置調整を行うための位置となる。
【００９１】
退避位置６６にあるチャック部６３は、光源ユニット２２を保持した状態で、ハウジング２１に対して、第２および第３軸線方向Ｘ，Ｙにスライド変位させるとともに、基準軸線Ｌ２１、第２軸線Ｌ２６および第３軸線Ｌ２７まわりに角変位される。チャック部６３が、第２および第３軸線方向Ｘ，Ｙならびに基準軸線まわりＬ２１の第１角変位方向θ１のうち、少なくともいずれか１つの方向に変位されると、光源ユニット２２は、同様にして、前記１つの方向に変位される。このように光源ユニット２２が、第２および第３軸線方向Ｘ，Ｙならびに基準軸線まわりの第１角変位方向θ１のうち、少なくともいずれか１つの方向に変位されて、光源ユニット２２のハウジング２１に対する位置が調整される面内調整が行われる。
【００９２】
また、チャック部６３が第２軸線Ｌ２６まわりの第２角変位方向θ２と、第３軸線Ｌ２７まわりの第３角変位方向θ３のうち、少なくともいずれか一方の方向に角変位されると、光源ユニット２２は、同様にして、前記一方の方向に角変位される。これによって光源ユニット２２が、第２角変位方向θ２および第３角変位方向θ３のうち、少なくともいずれか一方の方向に角変位されて、光軸の基準軸線Ｌ２１に対する傾きが調整されるあおり調整が行われる。
【００９３】
位置調整装置６０は、チャック部６３および押圧手段６８を変位駆動する調整用駆動手段６４（図７参照）を有する。調整用駆動手段６４は、チャック部６３を、ハウジング２１に対して、第１〜第３軸線方向Ｚ，Ｘ，Ｙにスライド変位させるとともに、基準軸線Ｌ２１ならびに第２および第３軸線Ｌ２６，Ｌ２７まわりに角変位させる。また調整用駆動手段６４は、押圧手段６８を、ハウジング２１に対して、第１軸線方向Ｚにスライド変位させる。調整用駆動手段６４による変位駆動は、図示しない制御手段によって制御される。
【００９４】
図１７は、図１５の切断面線Ｓ１７−Ｓ１７から見た断面図である。図１８は、図１７のセクションＢを示す断面図である。図１８では、図解を容易にするために、ハウジング２１におけるハッチングを省略して示している。光源ユニット２２がチャック部６３に保持される状態で、案内片４２と案内溝３０とは、相互に対向する表面が予め定めるクリアランスＤ３〜Ｄ５だけ間隔をあけて配置される。そのクリアランスＤ３〜Ｄ５は、面内調整可能なクリアランスであり、かつ光源３３におけるレーザ光の発光点を中心として、あおり調整をすることができる程度のクリアランスとする。
【００９５】
面内調整およびあおり調整を含む位置調整によって、光源ユニット２２からの光の光軸を、コリメートレンズ３１の軸線に一致するように調整し、その調整が完了すると、光源ユニット２２は、ハウジング２１に固定される。光源ユニット２２は、位置調整装置６０の固定手段７１によって、ハウジング２１に固定される。
【００９６】
固定手段７１は、たとえば接着剤などの固定具７２を、ハウジング２１および光源ユニット２２に塗布するための手段である。固定具７２には、具体的には、低収縮率の接着剤が用いられる。また固定具７２は、硬化される前では、流動性を有する。このように低収縮率の接着剤を固定具７２として用いることによって、硬化時の固定具７２の収縮を可及的に小さくすることができ、位置調整後の光源ユニット２２がハウジング２１に対して変位されることが防がれる。これによって光源ユニット２２を、所望の配設状態で、ハウジング２１に対して確実に固定することができる。
【００９７】
またハウジング２１には、図１および図１０の斜線を付して示す固定具７２を効率良く塗布することができるように、切欠き部５５ａ，５５ｂが形成される構成であってもよい。切欠き部５５ａ，５５ｂは、案内溝３０の第３軸線方向Ｙ一方側の縁辺部の一部が切欠かれた部分であり、前記縁辺部を第３軸線方向Ｙに沿って貫通する。この切欠き部５５ａ，５５ｂから接着剤を塗布することによって、案内溝３０と案内片４２との間の隙間に充填することができ、ハウジング２１と光源ユニット２２とを強固にかつ確実に固定することができる。接着剤の併用品または代用品として、空気に比べて放熱性の良い樹脂およびグリス、ならびに半田および金属ペーストなどを用いる構成であってもよい。
【００９８】
図１９は、光源ユニット２２の位置調整方法に基づく調整手順を示すフローチャートである。作業者は、本発明の位置調整方法に基づく位置調整方法に従って、チャック部６３のハウジング２１に対する位置を調整し、これによって光源ユニット２２のハウジング２１に対する位置を調整する。ステップｓ０において、作業者によって光源ユニット２２の調整手順が開始されると、ステップｓ１に進む。
【００９９】
ステップｓ１において、作業者は、光源ユニット２２を仮位置４７に配置する。ステップｓ１では、作業者は、位置調整装置６０の押圧手段６８を、近接方向Ｚ２に変位させて、光源ユニット２２をハウジング２１と反対側から弾発的に押圧する。押圧手段６８によって押圧された光源ユニット２２は、近接方向Ｚ２に変位され、これによって対向面４３と基準面２８とが当接される仮位置４７に配置される。ステップｓ１において、光源ユニット２２が仮位置４７に配置されると、ステップｓ２に進む。
【０１００】
ステップｓ２において、作業者は、光源ユニット２２を治具６１によって保持する。ステップｓ２では、作業者は、仮位置４７にある光源ユニット２２を、押圧手段６８によって弾発的に押圧させた状態で、治具６１のチャック部６３によって保持する。光源ユニット２２が仮位置４７にある状態では、チャック部６３は前進位置６５に配置されている。このときチャック部６３のチャック嵌合部６９は、光源ユニット２２の光源嵌合部５２に対向する位置に配置されている。
【０１０１】
作業者は、チャック部６３を第３軸線方向Ｙに関して光源ユニット２２に近接する方向に変位させる。これによって光源ユニット２２がチャック部６３によって第３軸線方向Ｙ両側から挟持される。このとき光源ユニット２２の光源嵌合部５２が、チャック部６３のチャック嵌合部６９に嵌り込んでいるので、チャック部６３によって、光源ユニット２２が確実に把持される。
【０１０２】
またチャック部６３によって、光源ユニット２２を保持した後では、押圧手段６８を光源ユニット２２から離反させて、押圧状態を解除してもよいし、押圧状態を保持したままであってもよい。ステップｓ２において、光源ユニット２２が治具６１によって保持されると、ステップｓ３に進む。
【０１０３】
ステップｓ３において、作業者は、光源ユニット２２を記録再生位置４８に配置する。ステップｓ３では、作業者は、前進位置６５にあるチャック部６３を、離反方向Ｚ１に変位させて、退避位置６６に配置させる。チャック部６３が前進位置６５から退避位置６６に向けて変位されると、仮位置４７にある光源ユニット２２は、チャック部６３の変位に伴って離反方向Ｚ１に変位される。
【０１０４】
チャック部６３が退避位置６６に配置されると、光源ユニット２２は、仮位置４７から記録再生位置４８に配置される。記録再生位置４８では、前述のように、対向面４３が基準面２８から離反距離Ｄ２だけ離れた位置に配置されている。ステップｓ３において、光源ユニット２２が記録再生位置４８に配置されると、ステップｓ４に進む。
【０１０５】
ステップｓ４において、作業者は、チャック部６３を第２および第３軸線方向Ｘ，Ｙならびに第１〜第３角変位方向θ１〜θ３に変位させて、面内調整およびあおり調整を含む位置調整を行う。チャック部６３を第２および第３軸線方向Ｘ，Ｙならびに第１角変位方向θ１に変位させることによって、光源ユニット２２の面内調整が行われる。またチャック部６３を第２および第３角変位方向θ２，θ３に角変位させることによって、光源ユニット２２のあおり調整が行われる。
【０１０６】
面内調整によって、チャック部６３のハウジング２１に対する位置が調整される。これによって所望の光軸、換言するとコリメートレンズ３１の軸線が、出射部３５の中心位置である光の発光点を通るように、光源ユニット２２がハウジング２１に対して変位される。あおり調整によって、チャック部６３のハウジング２１に対する位置が調整される。これによって光源ユニット２２からの光の光軸が、基準軸線Ｌ２１、換言するとコリメートレンズ３１の軸線に平行になるように、光源ユニット２２がハウジング２１に対して変位される。
【０１０７】
面内調整とあおり調整とを組合せて行うことによって、チャック部６３のハウジング２１に対する位置が調整され、光軸がコリメートレンズ３１の軸線に一致するように、光源ユニット２２を配置することができる。ステップｓ４において、光源ユニット２２の位置調整が行われると、ステップｓ５に進む。
【０１０８】
ステップｓ５において、作業者は、光源ユニット２２をハウジング２１に固定する。ステップｓ５では、作業者は、位置調整後の光源ユニット２２を、位置調整装置６０の固定手段７１を用いて、接着剤などの固定具７２を塗布し、この固定具７２によってハウジング２１に固定する。これによって光源ユニット２２は、固定具７２を介してハウジング２１に固定される。
【０１０９】
ステップｓ５において、光源ユニット２２がハウジング２１に固定されると、ステップｓ６に進んで、すべての手順を終了する。前述のステップｓ５において、固定具７２には、たとえば接着剤とともに、伝熱性を有する樹脂材料などを用いてもよい。前述のステップｓ０〜ｓ６の調整手順において、ステップｓ６で調整手順を終了する前に、後述する伝熱材７５および放熱部材の少なくともいずれか一方を設けるステップをさらに含むようにしてもよい。
【０１１０】
本実施の形態によれば、光源ユニット２２を保持したチャック部６３とハウジング２１との間の位置関係を調整することによって、チャック部６３と治具６１との間の位置関係またはチャック部６３と光源ユニット２２との間の位置関係を調整することなく、光源ユニット２２とハウジング２１との間の位置関係を調整することができる。このように位置調整をする対象がチャック部６３とハウジング２１との一組だけでよく、これによって光源ユニット２２からの光の光軸の位置の調整作業を容易にすることができる。
【０１１１】
さらに光源ユニット２２をハウジング２１に接触させた状態で、光軸の位置を調整する必要がないので、たとえば光源ユニット２２およびハウジング２１の相互に対向する表面を高い加工精度を要する曲面に形成することなく、光源ユニット２２およびハウジング２１の構成を簡素化することができる。また光軸が所望の位置に調整されるので、光ピックアップ装置２０による情報の記録または再生を好適に行うことができる。
【０１１２】
また本実施の形態によれば、退避位置６６は、ハウジング２１に対して予め設定される記録再生位置４８にあり、記録媒体と光源ユニット２２との距離が、情報の記録または再生をするときの距離である。このようにチャック部６３の退避位置６６への変位に伴って、光源ユニット２２を変位させることによって、光軸の位置調整に加えて、光源ユニット２２からの光が記録媒体で絞られるように、光のスポット形状を調整することができる。これによって光源ユニット２２の位置の調整作業をさらに容易にすることができる。
【０１１３】
また本実施の形態によれば、退避位置６６にあるチャック部６３に保持された光源ユニット２２は、固定手段７１による固定具７２を用いて、ハウジング２１に対して固定される。これによって光源ユニット２２を、光軸の位置が調整された状態で、ハウジング２１に固定することができ、利便性の高い光ピックアップ装置２０を実現することができる。
【０１１４】
また本実施の形態によれば、光源ユニット２２は押圧手段６８によって弾発的に押圧されるので、光源ユニット２２が不所望に押圧することが防がれ、光源ユニット２２の破損および変形を防止することができる。さらに押圧手段６８によって、仮位置４７にある光源ユニット２２の位置ずれを防止した状態で、チャック部６３によって把持することができる。
【０１１５】
また本実施の形態によれば、光源ユニット２２に設けられる光源嵌合部５２によって、位置決めされた状態でチャック部６３に把持される。これによって光源ユニット２２と治具６１との位置関係が一定に保たれるので、光源ユニット２２のハウジング２１に対する位置を調整することによって、光軸の位置を好適に調整することができる。
【０１１６】
また光軸の傾きを調整するために、光源ユニット２２およびハウジング２１の相互に対向する表面を高い加工精度を要する曲面に形成して、摺接させる必要が無いので、光ピックアップ装置２０の構成を簡単にすることができる。これによって加工精度および部品点数などの観点から、コストダウンを図ることができる。したがって利便性の高い光ピックアップ装置２０を実現することができる。
【０１１７】
また本実施の形態によれば、光源嵌合部５２は、ハウジング２１を基準軸線Ｌ２１に投影した領域内に配置されるので、光軸の位置調整後に、光源嵌合部５２が、ハウジング２１よりも突出した位置に配置されることが防がれる。したがって装置全体の厚みが増加することを防止するなどして、利便性の高い光ピックアップ装置２０を実現することができる。
【０１１８】
また本実施の形態によれば、光源ユニット２２には、光源ユニット２２とハウジング２１との相対的な位置決めをするための案内片４２が設けられる。この案内片４２によって、光源ユニット２２とハウジング２１との位置が相対的に決まった状態で、光源ユニット２２のハウジング２１に対する位置を調整するので、調整時の作業性を向上することができる。
【０１１９】
また本発明によれば、案内片５２は、前記基準軸線Ｌ２１に沿う第１軸線方向Ｚに延びて配置されるので、光源ユニット２２を、第１軸線方向Ｚに変位させて、仮位置４７およびハウジング２１から退避した記録再生位置４８に配置することができる。
【０１２０】
また本実施の形態によれば、案内片４２は、基準軸線Ｌ２１に交差する軸線まわりに角変位可能に、光源ユニット２２をハウジング２１に対して位置決めする。これによって光源ユニット２２を、ハウジング２１に対して位置決めした状態で、基準軸線Ｌ２１に沿う方向への変位に加えて、基準軸線Ｌ２１に交差する軸線まわりに角変位させて、ハウジング２１に対する位置を調整することができる。したがって光軸の基準軸線Ｌ２１に対する傾きを調整することができる。
【０１２１】
図２０は、伝熱材７５が設けられる光源ユニット２２を示す正面図である。図２１は、伝熱材７５が設けられる光源ユニット２２を示す平面図である。図２０および図２１では、図解を容易にするために、伝熱材７５を、斜線を付して示している。図１〜図１９に示す実施の形態の光ピックアップ装置２０は、光軸を所望の位置に配置することができる構成であって、高い利便性を達成することができるけれども、この構成に加えて、高い放熱性を達成できるような手段を有する構成にしてもよい。
【０１２２】
光ピックアップ装置２０において、光源ユニット２２が空中固定される、具体的には光源ユニット２２が直にハウジングに接触されないので、放熱性が低下するおそれがある。また光源３３を有する光源ユニット２２は、特にＤＶＤおよびＣＤ等の光学式の記録媒体に対して、書込み、換言すると情報の記録を行う際に、非常に高温となる。したがって光源３３から発生される熱を、光源３３外部に放出するための構成にしておく必要がある。効率の良い放熱の手段または方法としては、光源３３から熱が伝えられる物質の熱抵抗を可及的に下げることと、光源３３から接触する他の物質に熱が伝わりやすくするために、熱が伝わる面積、物質間の接触面積を可及的に大きくすることである。
【０１２３】
光ピックアップ装置２０は、高い放熱性を実現するために、前述の構成に加えて、伝熱材７５をさらに含むように構成される。伝熱材７５は、熱の発生源である光源３３から、光源３３に接触されるホルダ３４に効率良く熱を伝えるために、伝熱性の高い材料から成る。伝熱材７５は、光源３３とホルダ３４との間の隙間に充填される。伝熱材７５は、樹脂またはグリスなどによって実現される。
【０１２４】
伝熱材７５を光源３３とホルダ３４との間の隙間に設けることによって、特に、レーザーチップを有する出射部３５から熱が直接伝わるステム４０と、ホルダ３４との接触面積を大きくすることができる。これによって光源３３からホルダ３４への熱の伝熱量を大きくする、換言すると伝熱性を高くすることができる。したがって光源３３で発生した熱を、光源ユニット２２外部に効率良く放出することができ、高い放熱性を実現することができる。
【０１２５】
本実施の形態によれば、光源ユニット２２をハウジング２１から退避した状態で固定した場合であっても、光源ユニット２２の光源３３で発生される熱を、伝熱材７５を介してホルダ３４に伝えることができる。また光源ユニット２２が、たとえば固定具７２によって、ハウジング２１に固定される場合には、前述のように光源３３からホルダ３４に伝えられた熱を、固定具７２を介してハウジングに伝えることができる。これによって発生される熱を光源ユニット２２から効率良く放出することができる、換言すると高い放熱性を達成することができる。
【０１２６】
図２２は、樹脂溜まり７６形成される光源ユニット２２を示す平面図である。前述の光源３３とホルダ３４とは一体に構成されるけれども、通常、相互に接触する物質同士は、完全に隙間無く接触するわけではなく、実際には、表面の凹凸によって物質間の隙間に空気層が存在する。隙間に空気層があると、放熱効率は悪く、熱は伝わりにくい。そこで伝熱材７５を溜める樹脂溜まり７６を設けるとともに、粘度の低い伝熱材７５を樹脂溜まり７６に充填することによって、空気層をなくし、放熱効率を向上することができる。
【０１２７】
凹所である樹脂溜まり７６は、光源３３およびホルダ３４の少なくともいずれか一方に設けられる。本実施の形態では、樹脂溜まり７６はホルダ３４に設けられる。樹脂溜まり７６は、ホルダ３４の光源３３に対向する表面部近傍に形成され、伝熱材７５が塗布される。樹脂溜まり７６には、流動性の高い低粘度の樹脂が伝熱材７５として充填される。
【０１２８】
樹脂溜まり７６を形成し、かつ低粘度の樹脂を伝熱材７５として充填することによって、光源３３とホルダ３４との間の空気層を無くすことができるとともに、光源３３のステム４０とホルダ３４との接触面積を広くすることができる。これによって光源３３からの熱を、ステム４０を介してホルダ３４に効率良く伝え、さらに固定具７２を介して光源ユニット２２外部に放出することができる。したがって放熱性を向上することができる。樹脂溜まり７６は、ホルダ３４の代わりに、ステム４０に設けられてもよいし、ホルダ３４およびステム４０の両方に設けてもよい。
【０１２９】
光源３３とホルダ３４との間および樹脂溜まり７６に設けられる伝熱材は、常温において粘度が２００Ｐａ・ｓ以上４００Ｐａ・ｓ以下の材料から成る。本実施の形態では、常温は、２５℃である。粘度が２００Ｐａ・ｓ未満または４００Ｐａ・ｓを超える場合には、光源ユニット２２に外部から衝撃が与えられたり、光源３３から発生した熱によって高温状態になると、飛散したり、隙間から流れ出たりするなどの不具合が発生する。粘度が２００Ｐａ・ｓ以上４００Ｐａ・ｓ以下の樹脂またはグリスなどを伝熱材７５として用いることによって、高い放熱性を維持することができる。また前述の固定具７２として用いられる接着剤も、衝撃試験および高温試験などの結果に基づいて、最適な接着剤が選択されている。
【０１３０】
本実施の形態によれば、光源３３およびホルダ３４の少なくともいずれか一方には、それらの相互に対向する表面部に伝熱材７５が嵌り込む樹脂溜まり７６が形成される。この樹脂溜まり７６に伝熱性の高い材料を充填することによって、伝熱材７５を光源３３およびホルダ３４の表面部間に確実に充填することができ、前記表面部間に生じる空気層を無くすことができる。これによって放熱性を向上することができる。
【０１３１】
また本実施の形態によれば、伝熱材７５は、常温において粘度が２００Ｐａ・ｓ以上４００Ｐａ・ｓ以下の材料から成る。このように光源３３とホルダ３４との間に充填しやすく、かつ光源３３およびホルダ３４との密着性の良好な低粘度の材料を用いるので、伝熱材７５による放熱性を向上することができる。
【０１３２】
図２３は、放熱板７７が設けられる光源ユニット２２を示す正面図である。図２４は、放熱板７７を示す正面図である。図２５は、ハウジング２１に蝋付けされる放熱板７７を説明するための図である。図２６は、ハウジング２１に蝋付けされる放熱板７７を示す正面図である。光ピックアップ装置２０は、図１〜図２２に示す構成に加えて、放熱板７７をさらに含むように構成されてもよい。
【０１３３】
放熱板７７は、金属製であり、板状に形成される。放熱板７７は、ハウジング２１の接地端子３８に半田付けされ、ハウジング２１に蝋付けされる。放熱板７７には、複数の透孔が形成され、端子群３９の各種の端子が挿通される。放熱板３８は、各種の端子が透孔に挿通された状態で、接地端子３８を位置決めとして、接地端子３８に半田付けされる。
【０１３４】
さらに放熱板７７は、その長手方向両端部７７ａ，７７ｂがハウジング２１の一側部２１ａに蝋付けされて、ハウジング２１に連結される。放熱板７７は、熱伝導性を有する。この放熱板７７によって、光源３３からの熱を放熱板７７を介してハウジング２１に導くことができ、放熱性を向上することができる。
【０１３５】
また、光軸の位置調整が行われた後の光源ユニット２２において、光源ユニット２２のハウジング２１に対する配設状態は、たとえば部品精度などによって不確定であり、かつ光源ユニット２２は、固定具７２を介して固定される。したがって光源ユニット２２に対して、ばね部材等がたとえば決まった向き外力を与えるなどして、一定の負荷が与えられる状態は好ましくない。したがって放熱板７７の長手方向両端部７７ａ，７７ｂを、ハウジング２１に蝋付けしていない状態で、光軸の位置調整を行う。この光軸の位置調整が完了した後、光源ユニット２２をハウジング２１に固定し、その後、放熱板７７の長手方向両端部７７ａ，７７ｂをハウジング６６に蝋付けする。
【０１３６】
放熱板７７は、前述のように熱伝導性を有し、かつ可撓性を有し、たとえばリン青銅などから成る。放熱板７７をリン青銅などによって構成することによって、放熱板７７をフレキシブルに弾性変形させることができるとともに、高い熱伝導率を実現することができる。これによってハウジング２１を蝋付けするときに、光源ユニット２２に極力負荷を与えないように固定することができる。また放熱板７７は、ステム４０とＦＰＣ４４との間に介在するように光源３３と連結されてもよいし、ステム４０との間にＦＰＣ４４を介在させた状態で、光源３３と連結されてもよい。
【０１３７】
本実施の形態によれば、光源３３の接地端子３８には、金属製の放熱板７７が半田付けされる。この放熱板７７は、さらにハウジング２１に蝋付けされる。これによって光源３３で発生した熱を、放熱板３４を介してハウジング２１に伝えることができ、放熱性を向上することができる。
【０１３８】
また本実施の形態によれば、光源ユニット２２がハウジング２１に固定された後に、放熱板７７をハウジング２１に蝋付けするので、光源ユニット２２に不所望な外力を与えないように、放熱板７７をハウジング２１に蝋付けすることができる。これによって光源３３のハウジング２１に対する位置がずれることを防止することができる。
【０１３９】
また本実施の形態によれば、放熱板７７は、熱伝導性を有し、かつ可撓性を有するので、放熱性を向上することができるとともに、光源ユニット２２に不所望な外力が与えられることがないように、放熱板７７を適度に変形させた状態でハウジング２１に固定することができる。
【０１４０】
図２７は、本発明の実施の他の形態である光ピックアップ装置２０ａが備える光源ユニット２２ａを示す正面図である。図２８は、図２７の光源ユニット２２ａを示す底面図である。図２９は、図２７の光源ユニット２２ａを示す右側面図である。本発明の実施の他の形態である光ピックアップ装置２０ａは、前述の図１〜図２６に示す実施の形態の光ピックアップ装置２０と類似しており、同様の構成には同一の参照符号を付し、同様の説明は省略する。
【０１４１】
前述の図１〜図２６に示す光ピックアップ装置２０では、案内片４２は、基準軸線Ｌ２１に沿う方向に延びて配置されていたが、本実施の形態では、光源ユニット２２ａに設けられる案内片５７ａ，５７ｂは、基準軸線Ｌ２１に垂直な方向に延びて配置されるように形成される。以下、２つの案内片５７ａ，５７ｂのうち少なくともいずれか一方を指すとき、「案内片５７」と表記する場合がある。
【０１４２】
案内片５８は、基準軸線Ｌ２１に垂直な方向、具体的には、第３軸線方向Ｙに延びて配置される。このように案内片５８を構成することによって、第１軸線方向Ｚに延在させる場合に比べて、ホルダ３４の第１軸線方向Ｚの寸法を小さくすることができる。これによって案内片を第１軸線方向Ｚに延在させる場合に比べて、ＦＰＣ４４の引き回し長さを短くすることができる。
【０１４３】
本実施の形態によれば、案内片５８は、基準軸線Ｌ２１に垂直な方向に延びて配置される。この案内片５８によっても、光源ユニット２２ａを、基準軸線Ｌ２１に沿う方向に変位させて、仮位置４７と、ハウジング２１から退避した記録再生位置４８とに配置することができる。
【０１４４】
また本実施の形態の光ピックアップ装置２０ａにおいても、前述のように、伝熱材７５、樹脂溜まり７６および放熱板７７を含むように構成してもよい。これによって光軸の位置調整が容易であり、かつ高い放熱性を有する光ピックアップ装置２０ａを実現することができる。
【０１４５】
図３０は、本発明の実施のさらに他の形態である光ピックアップ装置２０ｂが備える光源ユニット２２ｂを示す正面図である。図３１は、図３０の光源ユニット２２ｂを示す底面図である。本発明の実施のさらに他の形態である光ピックアップ装置２０ｂは、前述の実施の各形態の光ピックアップ装置２０，２０ａと類似しており、同様の構成には同一の参照符号を付し、同様の説明は省略する。
【０１４６】
本実施の形態では、光源ユニット２２ｂは、ホルダ３４を備えない構成、換言すると光源３３ｂから成る。光源ユニット２２ｂは、たとえばステム４０ｂの大きさ、および光軸の位置調整時の光源ユニット２２ｂの変位量などによって、光源３３ｂだけから構成することができる。このような場合、対向面４３および光源嵌合部５２は、光源３３ｂ、具体的にはステム４０ｂに設けられ、案内片４２は、キャップ４０に設けられる。このように光源ユニット２２ｂを光源３３ｂだけから構成することによって、ホルダ３４を必要としないので、部品点数を削減することができ、コストダウンを図ることができる。
【０１４７】
前述の実施の各形態は、本発明の例示に過ぎず、発明の範囲内において構成を変更してもよい。たとえば光源嵌合部を凸状に形成する代わりに、凹状に形成し、かつチャック嵌合部を凸状に形成するなどして、光源嵌合部およびチャック嵌合部の構成を変更してもよい。
【０１４８】
【発明の効果】
本発明によれば、光源ユニットを保持したチャック部とハウジングとの間の位置関係を調整することによって、チャック部と治具との間の位置関係またはチャック部と光源ユニットとの間の位置関係を調整することなく、光源ユニットとハウジングとの間の位置関係を調整することができる。これによって光源ユニットからの光の光軸の位置の調整作業を容易にすることができる。
【０１４９】
さらに光ピックアップ装置において、光源ユニットをハウジングに接触させた状態で、光軸の位置を調整する必要がないので、たとえば光源ユニットおよびハウジングの相互に対向する表面を高い加工精度を要する曲面に形成する必要がなく、光源ユニットおよびハウジングの構成を簡素化することができる。また光軸の位置を調整することによって、光ピックアップ装置による情報の記録または再生を好適に行うことができる。
【０１５０】
また本発明によれば、前記退避位置は、ハウジングに対して予め設定される記録再生位置にあり、記録媒体と光源ユニットとの距離が、情報の記録または再生をするときの距離であるので、光軸の位置調整に加えて、光源ユニットからの光が記録媒体で絞られるように、光のスポット形状を調整することができる。これによって光源ユニットの位置の調整作業をさらに容易にすることができる。
【０１５１】
また本発明によれば、退避位置にあるチャック部に保持された光源ユニットは、固定手段の固定具を用いて、ハウジングに対して固定されるので、光源ユニットを、光軸の位置が調整された状態で、ハウジングに固定することができ、利便性の高い光ピックアップ装置を実現することができる。
【０１５２】
また本発明によれば、光源ユニットは押圧手段によって弾発的に押圧されるので、光源ユニットが不所望に押圧することが防がれ、光源ユニットの破損および変形を防止することができる。さらに押圧手段によって、仮位置にある光源ユニットの位置ずれを防止した状態で、チャック部によって把持することができる。
【０１５３】
また本発明によれば、光源ユニットに設けられる調整用位置決め手段によって、位置決めされた状態でチャック部に把持される。これによって光源ユニットと治具との位置関係が一定に保たれる。このように光源ユニットを把持したチャック部とハウジングとの間の位置関係を調整することによって、チャック部と治具との間の位置関係またはチャック部と光源ユニットとの間の位置関係を調整することなく、光源ユニットとハウジングとの間の位置関係を調整することができる。これによって光源ユニットからの光の光軸の位置の調整作業を容易にすることができる。
【０１５４】
また光源ユニットの光軸の傾きを調整するために、光源ユニットおよびハウジングの相互に対向する表面を高い加工精度を要する曲面に形成して、摺接させる必要が無いので、光ピックアップ装置の構成を簡単にすることができる。これによって加工精度および部品点数などの観点から、コストダウンを図ることができる。したがって利便性の高い光ピックアップ装置を実現することができる。
【０１５５】
また本発明によれば、前記調整用位置決め手段は、ハウジングを基準軸線に投影した領域内に配置されるので、調整用位置決め手段が、光軸の位置調整後に、ハウジングよりも突出した位置に配置されることが防がれる。したがって装置全体の厚みが増加することを防止するなどして、利便性の高い光ピックアップ装置を実現することができる。
【０１５６】
また本発明によれば、光源ユニットには、光源ユニットとハウジングとの相対的な位置決めをするための仮位置調整手段が設けられる。この仮位置調整手段によって、光源ユニットとハウジングとの位置が相対的に決まった状態で、光源のハウジングに対する位置を調整するので、調整時の作業性を向上することができる。
【０１５７】
また本発明によれば、仮位置調整手段は、前記基準軸線に沿う方向に延びて配置されるので、光源ユニットを、基準軸線に沿う方向に変位させて、仮位置およびハウジングから退避した位置に配置することができる。
【０１５８】
また本発明によれば、仮位置調整手段は、前記基準軸線に垂直な方向に延びて配置される。この仮位置調整手段によっても、光源ユニットを、基準軸線に沿う方向に変位させて、仮位置およびハウジングから退避した位置に配置することができる。
【０１５９】
また本発明によれば、仮位置調整手段は、基準軸線に交差する軸線まわりに角変位可能に、光源ユニットをハウジングに対して位置決めする。これによって光源ユニットを、ハウジングに対して位置決めした状態で、基準軸線に沿う方向への変位に加えて、基準軸線に交差する軸線まわりに角変位させて、ハウジングに対する位置を調整することができる。
【０１６０】
また本発明によれば、光源ユニットをハウジングから退避した状態で固定した場合であっても、光源ユニットの光源で発生される熱を、伝熱材を介してホルダに伝えることができる。また光源ユニットがたとえば固定手段によってハウジングに固定される場合には、前述のように光源からホルダに伝えられた熱を、固定手段を介してハウジングに伝えることができる。これによって発生される熱を光源ユニットから効率良く放出することができる、換言すると高い放熱性を達成することができる。
【０１６１】
また本発明によれば、光源およびホルダの少なくともいずれか一方には、それらの相互に対向する表面部に伝熱材が嵌り込む凹所が形成される。この凹所に伝熱性の高い材料を充填することによって、光源とホルダとが相互に対向する表面部間に確実に充填することができ、前記表面部間に生じる空気層を無くすことができる。これによって放熱性を向上することができる。
【０１６２】
また本発明によれば、伝熱材は、常温において粘度が２００Ｐａ・ｓ以上４００Ｐａ・ｓ以下の材料から成る。このように光源とホルダとの間に充填しやすく、かつ光源およびホルダとの密着性の良好な低粘度の材料を用いるので、伝熱材による放熱性を向上することができる。
【０１６３】
また本発明によれば、光源の接地端子には、金属製の放熱部材が半田付けされる。この放熱部材は、さらにハウジングに蝋付けされる。これによって光源で発生した熱を、放熱部材を介してハウジングに伝えることができ、放熱性を向上することができる。
【０１６４】
また本発明によれば、光源ユニットがハウジングに固定された後に、放熱部材をハウジングに蝋付けするので、光源ユニットに不所望な外力を与えないように、放熱部材をハウジングに蝋付けすることができる。これによって光源のハウジングに対する位置がずれることを防止することができる。
【０１６５】
また本発明によれば、放熱部材は、熱伝導性を有し、かつ可撓性を有するので、放熱性を向上することができるとともに、光源ユニットに不所望な外力が与えられることがないように、放熱部材を適度に変形させてハウジングに固定することができる。
【０１６６】
また本発明によれば、光源ユニットを保持したチャック部とハウジングとの間の位置関係を調整することによって、チャック部と治具との間の位置関係またはチャック部と光源ユニットとの間の位置関係を調整することなく、光源ユニットとハウジングとの間の位置関係を調整することができる。これによって光源ユニットからの光の光軸の位置の調整作業を容易にすることができる。
【０１６７】
また本発明によれば、前記退避位置は、ハウジングに対して予め設定される記録再生位置にあり、記録媒体と光源ユニットとの距離が、情報の記録または再生をするときの距離になるように設定される。これによって光軸の位置調整に加えて、光源からの光が記録媒体で絞られるように、記録媒体に照射される光のスポット形状を調整することができる。
【０１６８】
また本発明によれば、退避位置にあるチャック部に保持された光源ユニットは、固定手段の固定具を用いて、ハウジングに対して固定される。これによって光源を、光軸の位置が調整された状態で、ハウジングに固定することができ、利便性の高い光ピックアップ装置を実現することができる。
【０１６９】
また本発明によれば、光源ユニットを仮位置に配置するにあたって、押圧手段によって弾発的に押圧して変位させるので、光源ユニットが不所望に押圧することが防がれ、光源ユニットの破損および変形を防止することができる。さらに押圧手段によって、仮位置にある光源ユニットの位置ずれを防止した状態で、チャック部によって把持することができる。
【図面の簡単な説明】
【図１】本発明の実施の一形態である光ピックアップ装置２０の一部を示す正面図である。
【図２】ハウジング２１の一側部２１ａを示す平面図である。
【図３】光源ユニット２２を示す正面図である。
【図４】図３の光源ユニット２２を示す底面図である。
【図５】図３の光源ユニット２２を示す右側面図である。
【図６】図３の光源ユニット２２を示す左側面図である。
【図７】光源ユニット２２をハウジング２１に固定する前の光ピックアップ装置２０を示す正面図である。
【図８】光源ユニット２２をハウジング２１に固定する前の光ピックアップ装置２０を示す断面図である。
【図９】ハウジング２１の一側部２１ａに設けられる光源ユニット２２を示す平面図である。
【図１０】ハウジング２１に保持される光源ユニット２２を示す正面図である。
【図１１】仮位置４７に配置される光源ユニット２２を示す平面図である。
【図１２】仮位置４７に配置される光源ユニット２２を示す断面図である。
【図１３】仮位置４７にある光源ユニット２２を示す平面図である。
【図１４】図１３のセクションＡを示す平面図である。
【図１５】チャック部６３が退避位置６６に配置されるときの位置調整装置６０を示す平面図である。
【図１６】チャック部６３が退避位置６６に配置されるときの位置調整装置６０を示す断面図である。
【図１７】図１５の切断面線Ｓ１７−Ｓ１７から見た断面図である。
【図１８】図１７のセクションＢを示す断面図である。
【図１９】光源ユニット２２の位置調整方法に基づく調整手順を示すフローチャートである。
【図２０】伝熱材７５が設けられる光源ユニット２２を示す正面図である。
【図２１】伝熱材７５が設けられる光源ユニット２２を示す平面図である。
【図２２】樹脂溜まり７６形成される光源ユニット２２を示す平面図である。
【図２３】放熱板７７が設けられる光源ユニット２２を示す正面図である。
【図２４】放熱板７７を示す正面図である。
【図２５】ハウジング２１に蝋付けされる放熱板７７を説明するための図である。
【図２６】ハウジング２１に蝋付けされる放熱板７７を示す正面図である。
【図２７】本発明の実施の他の形態である光ピックアップ装置２０ａが備える光源ユニット２２ａを示す正面図である。
【図２８】図２７の光源ユニット２２ａを示す底面図である。
【図２９】図２７の光源ユニット２２ａを示す右側面図である。
【図３０】本発明の実施のさらに他の形態である光ピックアップ装置２０ｂが備える光源ユニット２２ｂを示す正面図である。
【図３１】図３０の光源ユニット２２ｂを示す底面図である。
【図３２】従来の技術における光ピックアップ装置１を示す断面図である。
【図３３】他の従来の技術における光ピックアップ装置１０を示す断面図である。
【符号の説明】
２０，２０ａ，２０ｂ  光ピックアップ装置
２１  ハウジング
２２  光源ユニット
２８  基準面
３０  案内溝
３３  光源
３４  ホルダ
３８  接地端子
４０  ステム
４２，５７  案内片
４３  対向面
４４  ＦＰＣ
４７  仮位置
４８  記録再生位置
５２  光源嵌合部
５５  切欠き部
６０  位置調整装置
６１  治具
６３  チャック部
６５  前進位置
６６  退避位置
６８  押圧手段
６９  チャック嵌合部
７１  固定手段
７２  固定具
７５  伝熱材
７６  凹所
７７  放熱板
【図１】
2004355754.tif 000003
【図２】
2004355754.tif 000004
【図３】
2004355754.tif 000005
【図４】
2004355754.tif 000006
【図５】
2004355754.tif 000007
【図６】
2004355754.tif 000008
【図７】
2004355754.tif 000009
【図８】
2004355754.tif 000010
【図９】
2004355754.tif 000011
【図１０】
2004355754.tif 000012
【図１１】
2004355754.tif 000013
【図１２】
2004355754.tif 000014
【図１３】
2004355754.tif 000015
【図１４】
2004355754.tif 000016
【図１５】
2004355754.tif 000017
【図１６】
2004355754.tif 000018
【図１７】
2004355754.tif 000019
【図１８】
2004355754.tif 000020
【図１９】
2004355754.tif 000021
【図２０】
2004355754.tif 000022
【図２１】
2004355754.tif 000023
【図２２】
2004355754.tif 000024
【図２３】
2004355754.tif 000025
【図２４】
2004355754.tif 000026
【図２５】
2004355754.tif 000027
【図２６】
2004355754.tif 000028
【図２７】
2004355754.tif 000029
【図２８】
2004355754.tif 000030
【図２９】
2004355754.tif 000031
【図３０】
2004355754.tif 000032
【図３１】
2004355754.tif 000033
【図３２】
2004355754.tif 000034
【図３３】
2004355754.tif 000035